(57)【要約】【課題】  回転式のクリックダイヤル操作部を複数設ける場合、各ダイヤル操作部毎にクリック回転させるための部材が必要になることで部品点数が増加したり、クリック力による回転トルクが小さいと、撮像装置を携帯する際に不用意にダイヤルが回転してしまうなどの問題があった。【解決手段】  本発明のクリック機構を有する撮像装置は、撮像装置に対して回転可能であって、各々に形成されたクリック溝を有する第１の回転ダイヤルおよび第２の回転ダイヤルと、前記クリック溝に当接する複数のクリック部材と、前記複数のクリック部材をそれぞれ付勢する１つの弾性部材より構成される。【選択図】  図４
2009139691.tif 000002
【特許請求の範囲】
【請求項１】
撮像装置に対して回転可能であって、各々に形成されたクリック溝を有する第１の回転ダイヤルおよび第２の回転ダイヤルと、前記クリック溝に当接する複数のクリック部材と、前記複数のクリック部材をそれぞれ付勢する１つの弾性部材より構成されるクリック機構を有する撮像装置。
【請求項２】
前記第１の回転ダイヤルの回転位置に応じて、前記第２の回転ダイヤルの回転トルクを変化させることを特徴とする請求項１に記載のクリック機構を有する撮像装置。
【請求項３】
前記第１の回転ダイヤルは、電源のオン・オフを切り替える電源ダイヤルであり、前記第２の回転ダイヤルは、露出モードを切り替える露出ダイヤルであることを特徴とする請求項１及び２に記載のクリック機構を有する撮像装置。
【請求項４】
前記電源ダイヤルは、オフ位置を規制するロック部材を備えることを特徴とする請求項３に記載のクリック機構を有する撮像装置。
【請求項５】
前記電源ダイヤルがオフ位置の時、前記露出ダイヤルの回転トルクを大きくすることを特徴とする請求項４に記載のクリック機構を有する撮像装置。
【発明の詳細な説明】
【技術分野】
【０００１】
本発明は例えばデジタルカメラやビデオカメラなどの撮像装置に設置される回転式ダイヤルのクリック機構に関するものである。
【背景技術】
【０００２】
従来のデジタルカメラやビデオカメラなどの撮像装置には、動作モードや各種設定を行うための回転式のダイヤル操作部が設けられている場合が多い。
【０００３】
例えば、回転式ダイヤル機構により、撮像装置の電源オフ、撮影モード、再生モード等を切り替えることを可能とした撮像装置が従来より広く普及している。（例えば、特許文献１参照）
また、従来より、絞りやシャッタ速度等を自動的に調整して適正な露出による撮影が行われるようにした自動露出（ＡＥ）機能を備えた撮像装置が広く普及している。このような自動露出（ＡＥ）機能を備えたカメラにおいては、撮影用途に応じた各種の露出モードを持っている。例えば、プログラムＡＥモード、絞り優先ＡＥモード、シャッタ速度優先ＡＥモードおよびマニュアルモード等の複数の露出モードを、撮影者が撮影時に任意に所望の露出モードに切り換えて撮影を行なえるようにしたものが広く普及している。そして、これらの各種の露出モードを撮影時に任意に切り換えるための機構として、回転式のダイヤル操作部を用いたものが従来より提案されている。
【０００４】
この種の回転式のダイヤル操作部において、クリックボールとコイルばねを用いることで、クリック回転を可能とし、各クリック位置において、所定の動作モードや各種設定に対応するようにしたものがある。（例えば、特許文献２参照）
【特許文献１】特開２００３−３０９７５１
【特許文献２】特開２００１−２４２５２０
【発明の開示】
【発明が解決しようとする課題】
【０００５】
しかしながら、上記の如く、回転式のクリックダイヤル操作部を複数設ける場合、各ダイヤル操作部毎に、クリック回転させるための部材が必要になり、部品点数の増加による本体大型化及びコスト高、組立作業性の悪化などにつながるといった問題があった。
【０００６】
また、クリックダイヤル操作部にて、露出モードを任意に切り替え可能とした構成にした場合、撮影時の操作性を優先すると、クリック力による回転トルクが小さい方が操作性が好ましい。
【０００７】
しかし、クリック力による回転トルクが小さいと、撮像装置を携帯する際にバッグからの出し入れ等によって、不用意にダイヤルが回転してしまい、撮影者の意図に反した設定に勝手になってしまうなどの問題があった。
【課題を解決するための手段】
【０００８】
本発明のクリック機構を有する撮像装置は、撮像装置に対して回転可能であって、各々に形成されたクリック溝を有する第１の回転ダイヤルおよび第２の回転ダイヤルと、前記クリック溝に当接する複数のクリック部材と、前記複数のクリック部材をそれぞれ付勢する１つの弾性部材より構成されることを特徴としている。
【０００９】
また、本発明の他の特徴とするところは、前記第１の回転ダイヤルの回転位置に応じて、前記第２の回転ダイヤルの回転トルクを変化させることを特徴としている。
【００１０】
また、本発明のその他の特徴とするところは、前記第１の回転ダイヤルは、電源のオン・オフを切り替える電源ダイヤルであり、前記第２の回転ダイヤルは、露出モードを切り替える露出ダイヤルであることを特徴としている。
【００１１】
また、本発明のその他の特徴とするところは、前記電源ダイヤルは、オフ位置を規制するロック部材を備えることを特徴としている。
【００１２】
また、本発明のその他の特徴とするところは、前記電源ダイヤルがオフ位置の時、前記露出ダイヤルの回転トルクを大きくすることを特徴としている。
【発明の効果】
【００１３】
以上説明したように、本発明によれば、本体に対して回転可能な第１の回転ダイヤルと、第２の回転ダイヤルを備えた撮像装置において、各々のクリック部材を付勢する弾性部材を兼用としたので、部品点数の削減が可能となり、本体小型化及びコストダウン、組立工数の削減が可能となる。
【００１４】
また、電源ダイヤルがオフ位置の時に、露出ダイヤルの回転トルクを重くする構成としたので、撮像装置を携帯する際に、バッグからの出し入れ等によって、不用意に露出ダイヤルが回転してしまい、撮影者の意図に反した設定に勝手になってしまうなどの問題を防止することが可能となる。
【発明を実施するための最良の形態】
【００１５】
以下、本発明を実施するための形態に関して説明する。
【実施例１】
【００１６】
図１は本発明の実施形態におけるビデオカメラの正面方向（被写体側）から見た斜視図、図２は同ビデオカメラの後方（撮影者側）から見た斜視図である。
【００１７】
図１において、１はビデオカメラ本体、２はビデオカメラ本体１の長手方向前方（被写体側）に設けられたレンズ部、３は撮影音声を集音するマイク部、４は撮影画像を確認するための表示部であり、２．５インチ程度の液晶パネルなどより構成される。また、表示部４は、ヒンジ機構によって開閉及び回転が可能である。
【００１８】
５ａ〜５ｇは各種の操作ボタンであり、再生／一時停止、停止、早送り、巻き戻し等の再生操作、デジタルエフェクトの可否、連写機能の設定、セルフタイマーの設定等を行うことが可能である。
【００１９】
６はビデオカメラ本体１の内部に設けられた記録再生装置（不図示）に磁気テープ等の記録媒体を装填するための開口を開閉するカセットカバー、７はカセットカバーを開動作させるオープンツマミである。記録媒体は磁気テープに限らず、ディスクやメモリカードのようなものでも構わない。８はズーム操作を行うためのズームツマミ、９は静止画の記録を行うフォトボタンである。
【００２０】
図２において、１０は撮影画像を確認するための接眼タイプのファインダー部、１１はメニュー表示のＯＮ／ＯＦＦの切替え等を行うメニューボタン、１２はメニューの選択・決定等を行うメニューツマミである。また、１３は撮影時にホワイトバランスの設定を行うホワイトバランス設定ボタン、１４は撮影時にオート／マニュアルフォーカス選択を設定するフォーカス設定ボタン、１５は撮影時に露出を設定する露出設定ボタンである。
【００２１】
１６は露出ダイヤルであり、ダイヤルを回転動作することで、全自動モード、シャッタースピード優先モード、絞り優先モードなどの撮影イメージに合わせた露出モードを切り替えることが可能である。１７は電源ダイヤルであり、回転動作することで電源のオン・オフ、撮影モード、再生モードを切り替えることが可能である。１８はトリガーボタンであり、押圧動作することで、動画撮影のスタート／ストップを行うことが可能である。
【００２２】
次に本発明の特徴とする露出ダイヤル１６の機構及び電源ダイヤル１７の機構の構成について詳しく説明する。図３は、露出ダイヤル１６及び電源ダイヤル１７の周辺部の分解斜視図、図４は背面カバーに露出ダイヤルの機構及び電源ダイヤルの機構を取付けた状態を本体内部から見た平面図、図５は図４におけるＡＡ断面図である。
【００２３】
これらの図において、１９は背面カバー、１６は露出ダイヤル、２０は露出ダイヤルのクリック板、２１は露出ダイヤルの接点端子、１７は電源ダイヤル、１８はトリガーボタン、２２はロックボタン、２３はロックボタンを付勢するロックボタン用コイルバネである。２４は電源ダイヤルのクリック板、２５は電源ダイヤルの接点端子、２６及び２７はクリックボールである。２８はクリックボール２６，２７を付勢するクリックボール用コイルバネ、２９はクリックボール２６，２７とクリックボール用コイルバネ２８の脱落を防止する押さえ部材、３０はプリント基板、３１ａ〜３１ｄはビスである。
【００２４】
露出ダイヤル１６は、背面カバー１９に設けられた回動支持穴１９ａに軸部１６ａを嵌合させる。そして、裏側から露出ダイヤルのクリック板２０をビス３１ａによって結合させることにより、背面カバー１９（つまりは本体）に対して、回動可能な状態に支持される。
【００２５】
露出ダイヤルの接点端子２１は、露出ダイヤルのクリック板２０に設けられた溶着ボス２０ａ，２０ｂによって、溶着固定され、露出ダイヤル１６及び露出ダイヤルのクリック板２０と一体となって、回動可能な状態に支持される。そして、露出ダイヤルの接点端子２１は、プリント基板３０に設けられた所定の導体パターン上を摺動することにより、予め決められた全自動モード、シャッタースピード優先モード、絞り優先モードなどの撮影イメージに合わせたプログラム自動露出を設定することができる。
【００２６】
トリガーボタン１８は、電源ダイヤル１７に設けられた嵌合穴１７ａに嵌合されると共に、プリント基板３０に実装されたタクトスイッチ３２によって付勢される。
【００２７】
電源ダイヤル１７は、背面カバー１９に設けられた回動支持穴１９ｂに軸部１７ｂが嵌合される。また、ロックボタン２２は、背面カバー１９に設けられた係合部１９ｃに係合されると共に、電源ダイヤル１７に設けられた嵌合穴１７ｃから電源ダイヤル１７の外面から突出させるように取付けられる。
【００２８】
ロックボタン用コイルバネ２３はロックボタン２２に設けられたバネ止めピン２２ａによって係合され、電源ダイヤルのクリック板２４に挟み込まれることで、ロックボタン２２を付勢する。
【００２９】
電源ダイヤルの接点端子２５は、プリント基板３０に設けられた所定の導体パターン上を摺動することにより、予め決められた電源オフ、撮影モード、再生モードなどに切り替えることができる。
【００３０】
電源ダイヤル１７、ロックボタン２２、ロックボタン用コイルバネ２３、電源ダイヤルのクリック板２４は、電源ダイヤル１７に設けられた溶着ボス１７ｄ，１７ｅ，１７ｆ，１７ｇが、電源ダイヤルのクリック板２４及び電源ダイヤルの接点端子２５に設けられた穴２４ａ，２４ｂ，２４ｃ，２４ｄ，２５ａ，２５ｂに嵌合された状態で溶着固定される。これらの部品は電源ダイヤル１７と一体となって回動動作が可能となる。
【００３１】
クリックボール２６，２７は、１つのクリックボール用コイルバネ２８によって互いに付勢され、露出ダイヤルのクリック板２０及び電源ダイヤルのクリック板２４に転動可能に接触する。そして、露出ダイヤルのクリック板２０及び電源ダイヤルのクリック板２４に設けられた溝状凹部に嵌合すると、露出ダイヤル１６及び電源ダイヤル１７が、所定位置にクリックストップする。
【００３２】
プリント基板３０には露出ダイヤル１６及び電源ダイヤル１７の各モードに対応した複数の導体パターンが設けられ、所定の導体パターンが露出ダイヤルの接点端子２１及び電源ダイヤルの接点端子２５に弾接されるように、ビス３１ｂ，３１ｃ，３１ｄによって背面カバー１９に取付けられる。
【００３３】
以上のような構成において、電源ダイヤル１７の動作について説明する。図４及び図５は、ロックボタン２２が背面カバー１９の係合部１９ｃによって係止され、電源ダイヤル１７が回転できない状態、すなわち電源オフ位置の状態である。この電源オフ位置において、クリックボール用コイルバネ２８は、電源ダイヤルのクリック板２４の凸部２４ｅによって付勢される。図５の状態から、図６に示すように、ロックボタン２２を押しながら電源ダイヤル１７を回転すると、ロックボタン２２が背面カバー１９の係合部１９ｃの厚みより移動するため、ロックが解除され、電源ダイヤル１７を回転させることが可能となる。この状態から電源ダイヤル１７の回転動作を行うと、クリックボール２７が、電源ダイヤルのクリック板２４上を摺動する。そして、電源ダイヤルのクリック板２４に設けられた、撮影モードまたは再生モードに対応する溝状凹部２４ｆ，２４ｇに嵌合すると、図７に示すように、電源ダイヤル１７がクリックストップする。この時、電源ダイヤル１７の回転によって、電源ダイヤルの接点端子２５が、プリント基板３０に設けられた所定の導体パターン上を弾接摺動し、電源オフの状態から、撮影モードまたは再生モードなどに切り替えることができる。また、電源ダイヤル１７を回転して、図４及び図５の状態に戻すと、ロックボタン用コイルバネ２３によって付勢されたロックボタン２２が背面カバー１９の係合部１９ｃによって係止され、電源ダイヤル１７がロック状態となる。
【００３４】
次に、露出ダイヤルの動作について説明する。上記に説明したように、電源ダイヤル１７が、電源オフ位置の状態の時、クリックボール用コイルバネ２８は、電源ダイヤルのクリック板２４の凸部２４ｅによって付勢された状態である。すなわち、この状態で、露出ダイヤル１６を回転させる場合、回転トルクは大きくなる。また、電源ダイヤル１７が、撮影モードまたは再生モードの位置の状態の時、クリックボール２７が、電源ダイヤルのクリック板２４に設けられた溝状凹部２４ｆ，２４ｇに嵌合するため、クリックボール用コイルバネ２８の付勢は、電源ダイヤルのクリック板２４の凸部２４ｅと溝状凹部２４ｆ，２４ｇの高低差分弱くなる。よって、この状態で、露出ダイヤル１６を回転させる場合、回転トルクは小さくなる。
【００３５】
以上説明したように、本発明の実施形態では、露出ダイヤルと電源ダイヤルにおいて、クリック回転させるために必要なコイルバネを共用としたので、構成部品点数が減り、安価で、且つ組み立てが容易となる。
【００３６】
また、電源ダイヤルがオフ位置の状態にある時、露出ダイヤルの回転トルクを大きくし、また電源ダイヤルが、撮影モードの位置の状態にある時、露出ダイヤルの回転トルクを小さくすることが可能な構成とした。よって、撮影時は露出ダイヤルの回転トルクが小さいため快適な操作が可能となる。また、電源オフ状態において、露出ダイヤルの回転トルクが大きくなるため、撮像装置を携帯する際に、バッグからの出し入れ等によって、不用意にダイヤルが回転してしまい、撮影者の意図に反した設定に勝手になってしまうことを防止することが可能となる。
【図面の簡単な説明】
【００３７】
【図１】本発明の実施形態におけるビデオカメラの正面方向（被写体側）から見た斜視図
【図２】本発明の実施形態におけるビデオカメラの後方（撮影者側）から見た斜視図
【図３】本発明の実施形態におけるビデオカメラの露出ダイヤル及び電源ダイヤルの周辺部の分解斜視図
【図４】本発明の実施形態におけるビデオカメラの背面カバーに露出ダイヤルの機構及び電源ダイヤルの機構を取付けた状態を本体内部から見た図
【図５】図４におけるＡＡ断面図
【図６】本発明の実施形態におけるビデオカメラの電源ダイヤル機構のロック解除を説明するための図
【図７】本発明の実施形態におけるビデオカメラの電源ダイヤルを撮影モードに切り替えた状態の図
【符号の説明】
【００３８】
１  ビデオカメラ本体
２  レンズ部
３  マイク部
４  表示部
５ａ〜５ｇ  操作ボタン
６  カセットカバー
７  オープンツマミ
８  ズームツマミ
９  フォトボタン
１０  ファインダー部
１１  メニューボタン
１２  メニューツマミ
１３  ホワイトバランス設定ボタン
１４  フォーカス設定ボタン
１５  露出設定ボタン
１６  露出ダイヤル
１７  電源ダイヤル
１８  トリガーボタン
１９  背面カバー
２０  露出ダイヤルのクリック板
２１  露出ダイヤルの接点端子
２２  ロックボタン
２３  ロックボタン用コイルバネ
２４  電源ダイヤルのクリック板
２５  電源ダイヤルの接点端子
２６、２７  クリックボール
２８  クリックボール用コイルバネ
２９  押さえ部材
３０  プリント基板
３１ａ〜３１ｄ  ビス
３２  タクトスイッチ
【図１】
2009139691.tif 000003
【図２】
2009139691.tif 000004
【図３】
2009139691.tif 000005
【図４】
2009139691.tif 000006
【図５】
2009139691.tif 000007
【図６】
2009139691.tif 000008
【図７】
2009139691.tif 000009